(57)【要約】【課題】過充電耐性が十分な二次電池により構成された組電池を提供すること。【解決手段】本発明に係る組電池は，集電箔に活物質層を形成してなる正負の電極板をこれらの間にセパレータを挟み込みつつ積層してなる電極体，および，電極体を内部に収容している矩形型の電池ケースを有する二次電池を，複数組み合わせることにより構成されている。複数の二次電池は，電極体における電極板およびセパレータの積層方向に組み合わされている。さらに，電池ケースの側壁のうちの，電極体の積層方向の外側に位置している第１および第２の側壁がそれぞれ，積層方向について，第１の部材と，第１の部材から見て電極体側とは反対側に位置するとともに，第１の部材よりも熱膨張率の小さい第２の部材とにより構成されている。【選択図】図７
2017134953.tif 000002
【特許請求の範囲】
【請求項１】
集電箔に活物質層を形成してなる正負の電極板をこれらの間にセパレータを挟み込みつつ積層してなる電極体，および，前記電極体を内部に収容している矩形型の電池ケースを有する二次電池を，複数組み合わせることにより構成されている組電池において，
複数の前記二次電池は，
前記電極体における前記電極板および前記セパレータの積層方向に組み合わされており，さらに，
前記電池ケースの側壁のうちの，前記電極体の前記積層方向の外側に位置している第１および第２の側壁がそれぞれ，前記積層方向について，
第１の部材と，
前記第１の部材から見て前記電極体側とは反対側に位置するとともに，前記第１の部材よりも熱膨張率の小さい第２の部材とにより構成されていることを特徴とする組電池。
【発明の詳細な説明】
【技術分野】
【０００１】
本発明は，組電池に関する。さらに詳細には，矩形型の複数の二次電池を組み合わせてなる組電池に関する。
【背景技術】
【０００２】
リチウムイオン二次電池などの二次電池は一般的に，電池ケース内部に正負の電極板よりなる電極体を有している。電極体は，シート状の正負の電極板を，これらの間にシート状のセパレータを挟み込みつつ，捲回または平積みにより積層してなるものである。また，二次電池には，扁平形状に捲回または平積みにより積層してなる電極体を用いた，電池ケースの外形が直方体形状をした矩形型のものがある。
【０００３】
さらに，二次電池は，さまざまな用途の電力源として利用される際には，その用途に応じた出力を得るため，複数の二次電池を組み合わせた組電池として用いられている。そして，矩形型の二次電池の場合には，複数の二次電池を，その厚み方向に積層するように配置し，これらを拘束部材により一体化することにより組電池が作製される。
【０００４】
また，矩形型の二次電池においては，過充電が生じた際に，電極体がその積層方向に膨張してしまうことがある。そして，この過充電時における電極体の膨張が適切に抑制されていない場合，過充電が生じた二次電池の劣化が促進されてしまう。すなわち，二次電池の過充電時における電極体の膨張を適切に抑制できない場合，二次電池の過充電耐性を十分なものとすることができない。
【０００５】
例えば，特許文献１には，過充電が生じた二次電池における電極体の膨張を抑制するため，膨張抑制部材を電極体に当接して設けることが記載されている。具体的に，特許文献１には，膨張抑制部材により膨張が生じた電極体を積層方向に圧迫することで電極体の膨張を抑制するとともに，その圧迫により電極体における正負の電極板を微小短絡させる技術が記載されている。そして，過充電に伴い膨張する電極体を微小短絡させることで電極体に蓄積されたエネルギーを徐々に開放させ，それ以上，過充電が進行してしまうことを抑制できるとされている。また，過充電により電極体に蓄積されたエネルギーが一気に開放されることを抑制できるとされている。
【先行技術文献】
【特許文献】
【０００６】
【特許文献１】特開２００３−１５１６１６号公報
【発明の概要】
【発明が解決しようとする課題】
【０００７】
しかし，上記の従来技術によっても，二次電池の過充電耐性を十分なものとすることができないおそれがあった。すなわち，上記の従来技術では，電極体の膨張を止めているだけであり，膨張時の電極体に掛かる圧迫力が十分ではないからである。
【０００８】
本発明は，前記した従来の技術が有する問題点の解決を目的としてなされたものである。すなわちその課題とするところは，過充電耐性が十分な二次電池により構成された組電池を提供することである。
【課題を解決するための手段】
【０００９】
この課題の解決を目的としてなされた本発明の組電池は，集電箔に活物質層を形成してなる正負の電極板をこれらの間にセパレータを挟み込みつつ積層してなる電極体，および，電極体を内部に収容している矩形型の電池ケースを有する二次電池を，複数組み合わせることにより構成されている組電池であって，複数の二次電池は，電極体における電極板およびセパレータの積層方向に組み合わされており，さらに，電池ケースの側壁のうちの，電極体の積層方向の外側に位置している第１および第２の側壁がそれぞれ，積層方向について，第１の部材と，第１の部材から見て電極体側とは反対側に位置するとともに，第１の部材よりも熱膨張率の小さい第２の部材とにより構成されていることを特徴とする組電池である。
【００１０】
二次電池では，過充電が生じた際に，過充電が生じていないときよりも温度が上昇する傾向にある。そして，本発明の組電池を構成する二次電池では，過充電時の温度上昇により，第１および第２の側壁は，第１の部材と第２の部材との熱膨張率の違いによって変形する。その第１および第２の側壁の変形により，電極体は，電極板等の積層方向に圧迫されるため，膨張が抑制される。これにより，過充電耐性が十分な二次電池により構成された組電池とされている。
【発明の効果】
【００１１】
本発明によれば，過充電耐性が十分な二次電池により構成された組電池が提供されている。
【図面の簡単な説明】
【００１２】
【図１】組電池の斜視図である。
【図２】単電池の断面図である。
【図３】単電池の電極体の斜視図である。
【図４】電極体として捲回される前の正極板等を説明するための図である。
【図５】図２に示す単電池のＡ−Ａ断面図である。
【図６】組電池の断面図である。
【図７】過充電が生じた状態における組電池の断面図である。
【図８】変形例を示す図である。
【図９】図８とは異なる変形例を示す図である。
【発明を実施するための形態】
【００１３】
以下，本発明を具体化した最良の形態について，図面を参照しつつ詳細に説明する。本形態は，リチウムイオン二次電池について本発明を具体化したものである。
【００１４】
本形態に係る組電池１の斜視図を図１に示す。図１に示すように，組電池１は，複数の単電池１００を組み合わせることにより構成されている。本形態において，複数の単電池１００はいずれも，外形が全体として直方体形状をしている矩形型のものである。図１には，組電池１について，Ｘ軸，Ｙ軸，Ｚ軸を示している。なお，図２以降について示しているＸ軸，Ｙ軸，Ｚ軸は，図１のものに対応している。
【００１５】
また，組電池１は，複数の単電池１００がその図１におけるＹ軸方向である厚み方向に組み合わせられることにより構成されている。さらに，組電池１では，厚み方向に組み合わせられた複数の単電池１００が，その外側より拘束バンド１０が巻き掛けられることで固定されている。つまり，この拘束バンド１０の巻き掛けにより，組電池１における複数の単電池１００が分離しないようにされている。
【００１６】
図２は，組電池１を構成する単電池１００の断面図である。単電池１００は，図２に示すように，電極体１１０および電解液１２０を電池ケース１３０の内部に収容してなるリチウムイオン二次電池である。電解液１２０は，リチウム塩を溶解させた有機溶剤よりなるものである。電池ケース１３０は，ケース本体１３１と封口板１３２とを備えている。また，封口板１３２には，絶縁部材１３３が設けられている。
【００１７】
図３は，電極体１１０の斜視図である。図３に示すように，本形態の電極体１１０は，扁平形状をした捲回型の電極体である。また図４は，電極体１１０を構成する負極板Ｎ，正極板Ｐ，セパレータＳの重ね合わせについて説明するための図である。図４において，上下方向が負極板Ｎ，正極板Ｐ，セパレータＳの長手方向であり，左右方向が幅方向である。図３に示す電極体１１０は，図４に示すように負極板Ｎ，正極板Ｐ，２枚のセパレータＳを重ね合わせつつ円筒形状に捲回後，その円筒形状の捲回体を径方向に圧迫することにより，扁平形状に成形したものである。
【００１８】
セパレータＳとしては，例えば，ポリプロピレン（ＰＰ）やポリエチレン（ＰＥ）等の多孔質シートを単体で用いることができる。また，異なる材質の多孔質シートを複数積層してなる複合材をセパレータＳとして用いることができる。
【００１９】
負極板Ｎは，負極集電箔Ｎ１の両面に，負極活物質やバインダーなどの負極材料によって負極活物質層Ｎ２を形成してなるものである。負極板Ｎは，負極活物質層Ｎ２が形成されている部分と，形成されていない部分とを有している。図４においては，負極板Ｎについて，負極活物質層Ｎ２が形成されている部分にドットハッチングを施している。また，負極活物質層Ｎ２が形成されていない部分では，負極集電箔Ｎ１が露出している。
【００２０】
正極板Ｐは，正極集電箔Ｐ１の両面に，正極活物質やバインダーなどの正極材料によって正極活物質層Ｐ２を形成してなるものである。正極板Ｐは，正極活物質層Ｐ２が形成されている部分と，形成されていない部分とを有している。図４においては，正極板Ｐについて，正極活物質層Ｐ２が形成されている部分にドットハッチングを施している。また，正極活物質層Ｐ２が形成されていない部分では，正極集電箔Ｐ１が露出している。
【００２１】
つまり，図４に示すように，負極板Ｎおよび正極板Ｐはともに，それぞれの負極活物質層Ｎ２，正極活物質層Ｐ２が形成されている部分においてセパレータＳと重ね合わせた状態で捲回により積層される。このため，図３に示す電極体１１０の中央部１１１は，負極板Ｎ，正極板Ｐ，セパレータＳが重なり合う部分である。なお，本形態において，電極体１１０における負極板Ｎ，正極板Ｐ，セパレータＳの積層方向とは，図２におけるＹ軸方向である。つまり，本形態の単電池１００では，電極体１１０における負極板Ｎ等の積層方向と，矩形型の電池ケース１３０の厚み方向とが同じ方向である。
【００２２】
一方，図４に示すように，負極板Ｎの負極集電箔Ｎ１の露出部分は，セパレータＳよりもその幅方向の右側に突き出ている。正極板Ｐの正極集電箔Ｐ１の露出部分は，セパレータＳよりもその幅方向の左側に突き出ている。このため，捲回後を示す図３の電極体１１０は，負極集電箔Ｎ１のみからなる部分である負極端部１１２と，正極集電箔Ｐ１のみからなる部分である正極端部１１３とを，中央部１１１のＸ軸方向における正の向きの側および負の向きの側の両側にそれぞれ有している。
【００２３】
そして，図２に示す単電池１００において，電極体１１０の負極端部１１２には負極端子１５０が，正極端部１１３には正極端子１６０が接続されている。また，負極端子１５０および正極端子１６０は，それぞれ電極体１１０と接続されていない側の端を，絶縁部材１３３を介し，電池ケース１３０の外部に突出させている。
【００２４】
さらに，単電池１００は，負極端子１５０および正極端子１６０を介し，電極体１１０の中央部１１１において，充電および放電を行うものである。具体的に，単電池１００は，充放電時において，電極体１１０の中央部１１１に位置する負極板Ｎと正極板Ｐとの間で，多孔質部材であるセパレータＳの細孔に保持されている電解液１２０を介してリチウムイオンの授受を行う。
【００２５】
また，単電池１００のケース本体１３１は，図２に示すように，側壁１３５および底面部１３８を有している。さらに，本形態のケース本体１３１の側壁１３５は，２層構造のものである。具体的には，ケース本体１３１の側壁１３５は，ケース本体１３１の内側に位置する第１部材１３６と，ケース本体１３１の外側に位置する第２部材１３７とにより構成されている。なお，本形態において，第１部材１３６と第２部材１３７とは，その接触している面同士において貼り合わせられている。
【００２６】
また，本形態では，第２部材１３７として，第１部材１３６よりも熱膨張率の小さい材質のものを用いている。第１部材１３６，第２部材１３７の材料としては，例えば，アルミニウム，鉄，ニッケル，銅，ステンレスなどを用いることができる。そして，上記のように，第１部材１３６，第２部材１３７がこの順で熱膨張率が小さくなるように材料を選定すればよい。例えば，第１部材１３６の材質としてアルミニウムを，第２部材１３７の材質として鉄を用いることができる。
【００２７】
本形態の単電池１００においては，図２に示すように，第１部材１３６は，側壁１３５の高さ方向（図２におけるＺ軸方向）の封口板１３２側から底面部１３８まで延びている。また，第１部材１３６は，底面部１３８をも構成している。一方，本形態において，第２部材１３７は，ケース本体１３１の側壁１３５の高さ方向の一部にのみ設けられている。
【００２８】
図５に，単電池１００の図２に示すＡ−Ａ位置での断面図を示す。なお，図５に示す単電池１００は，過充電が生じていない通常時の状態のものである。図５に示すように，第２部材１３７は，側壁１３５について１周，設けられている。
【００２９】
また，図５には，ケース本体１３１の側壁１３５のうちの面積の広い２つの側壁１３５をそれぞれ，第１側壁１３５ａ，第２側壁１３５ｂとして示している。第１側壁１３５ａ，第２側壁１３５ｂは，ケース本体１３１における互いに対向する側壁１３５である。さらに，第１側壁１３５ａ，第２側壁１３５ｂは，電極体１１０の積層方向の外側に位置している側壁１３５である。
【００３０】
そして，図５に示すように，ケース本体１３１の第１側壁１３５ａ，第２側壁１３５ｂはそれぞれ，電極体１１０の積層方向について，第１部材１３６と，第１部材１３６の電極体１１０側とは反対側に位置する第２部材１３７とにより構成されている。なお，図５に示す通常時の第１側壁１３５ａおよび第２側壁１３５ｂはともに，Ｘ軸方向である電極体１１０の幅方向について，電極体１１０の積層方向における両端面と平行である。このため，過充電が生じていない通常時の単電池１００において，電極体１１０は圧迫荷重を受けていない。
【００３１】
図６には，図５に示す単電池１００を組み合わせてなる組電池１の断面図を示している。図６についても，単電池１００がいずれも過充電の生じていない通常時を表している。図６に示すように，複数の単電池１００はいずれも，そのケース本体１３１の第１側壁１３５ａを図６に示すＹ軸の負の向きに向けた状態で，電極体１１０の積層方向に組み合わせられている。このため，組電池１における隣り合う２つの単電池１００は，それぞれの第１側壁１３５ａと第２側壁１３５ｂとを向かい合わせている。さらに，隣り合う２つの単電池１００は，それぞれの第１側壁１３５ａと第２側壁１３５ｂとが接触した状態である。
【００３２】
図７には，単電池１００が過充電に至った状態における組電池１の断面図を示している。図７に示すように，過充電時におけるケース本体１３１の側壁１３５はいずれも，通常時よりも湾曲した形状となっている。具体的には，過充電時におけるケース本体１３１の側壁１３５はいずれも，その中央が端部よりもケース本体１３１の内側に向けて突出するように変形している。この過充電時におけるケース本体１３１の側壁１３５の変形は，側壁１３５が，第１部材１３６と，第１部材１３６よりも熱膨張率の小さい第２部材１３７とにより構成されていることによるものである。
【００３３】
すなわち，過充電が生じた状態の単電池１００では，発熱が生じることにより，通常時よりも高温状態となる。このため，過充電が生じた状態では，ケース本体１３１の側壁１３５についても，通常時よりも高温状態となる。また，本形態のケース本体１３１の側壁１３５は，第１部材１３６と，第１部材１３６よりも熱膨張率の小さい第２部材１３７とにより構成されているため，温度上昇に伴い，側壁１３５のケース本体１３１の内側では，外側よりも変形量が大きくなる。この側壁１３５の内側と外側との変形量の差により，過充電時におけるケース本体１３１の側壁１３５は，その中央が端部よりもケース本体１３１の内側に向けて突出するように変形しているのである。
【００３４】
また，電極体１１０は，変形している第１側壁１３５ａおよび第２側壁１３５ｂにより，積層方向における内側に向けて押圧されている。すなわち，本形態の組電池１を構成する単電池１００はいずれも，過充電に至った際に，電極体１１０がその積層方向に圧迫荷重を受ける。これにより，本形態の組電池１では，過充電に至った単電池１００における電極体１１０の膨張が抑制されている。よって，その過充電に至った単電池１００の劣化が抑制されている。
【００３５】
なお，単電池１００が過充電に至った際の温度や，そのときに電極体１１０の膨張が適切に抑制される圧迫荷重等は，予め実験やシミュレーションを行うことで取得しておくことができる。例えば，単電池１００の過充電に至った際の温度が１７５℃であり，そのときの電極体１１０への適切な圧迫荷重が１０Ｎである場合，実験等によって予めこれを取得することで，第１部材１３６および第２部材１３７の適切な組み合わせ等を設定することができる。これにより，過充電に至った単電池１００の電極体１１０に適切に圧迫し，単電池１００の劣化を適切に抑制することができる。
【００３６】
また，電極体１１０が膨張していない通常時には，電極体１１０を積層方向に圧迫しないことが好ましい。通常時の単電池１００では，電極体１１０が圧迫された状態で充放電されることにより，負極板Ｎへの金属リチウムの析出が生じやすくなってしまう傾向にあるからである。さらに，通常時の単電池１００について，電極体１１０が圧迫された状態でハイレート充放電がなされた際には，単電池１００の劣化が促進されてしまうおそれがあるからである。そして，本形態では，通常時にはケース本体１３１の第１側壁１３５ａおよび第２側壁１３５ｂによって電極体１１０が圧迫されていないため，単電池１００の上記のような劣化が抑制されている。
【００３７】
さらに，本形態において，第１側壁１３５ａおよび第２側壁１３５ｂによる電極体１１０の圧迫荷重は，電極体１１０の幅方向の中央ほど，大きなものである。過充電時において，第１側壁１３５ａおよび第２側壁１３５ｂはともに，電極体１１０の幅方向の両端よりも中央がケース本体１３１内側に突出するように変形しているからである。また，過充電時に膨張が生じる電極体１１０の箇所は，負極端部１１２および正極端部１１３の間の，幅方向の中央に位置する中央部１１１である。つまり，本形態では，過充電時に膨張が生じる電極体１１０の中央部１１１を適切に圧迫することができるため，電極体１１０の膨張を適切に抑制することができる
【００３８】
加えて，本形態では，過充電時において，単電池１００のケース本体１３１の第１側壁１３５ａおよび第２側壁１３５ｂは，内側に向けて変形している。つまり，過充電時において，単電池１００のケース本体１３１の第１側壁１３５ａおよび第２側壁１３５ｂは，隣り合う単電池１００から遠ざかる向きに変形する。このため，図７に示すように，過充電時には，隣り合う単電池１００同士の間に，空間Ｚが形成される。よって，本形態の組電池１においては，過充電に至った単電池１００からの放熱が良好に行えるようにすることができ，単電池１００の冷却性を高めることが可能となる。
【００３９】
また，本形態では，ケース本体１３１の第１側壁１３５ａおよび第２側壁１３５ｂを第１部材１３６および第２部材１３７による２層構造とすることによって過充電時における電極体１１０に適切な圧迫荷重をかけることができる。つまり，過充電時に電極体１１０の膨張を抑制するための部材を少なくすることができる。これにより，単電池１００や組電池１の構成を単純なものとすることができるとともに，これらを安価に製造することができる。
【００４０】
次に，上記の組電池１と同じ効果を奏する組電池を構成することができる単電池の変形例について図８および図９により説明する。図８および図９はそれぞれ異なる構成の単電池に係る断面図である。また，図８および図９はともに，図５と同じ位置における単電池の断面図であり，過充電が生じていない通常時を示したものである。なお，図８に示す単電池２００および図９に示す単電池３００は，それぞれのケース本体２３１，３３１の構成が上記の単電池１００のケース本体１３１と異なるものであり，その他の電極体１１０などは単電池１００と同じである。
【００４１】
まず，図８に示す単電池２００のケース本体２３１の側壁２３５は，第１部材２３６と第２部材２３７とにより構成されている。このうち，第１部材２３６については，単電池１００の第１部材１３６と同じ形状のものである。単電池２００のケース本体２３１は，単電池１００のケース本体１３１と異なり，図８に示すように，電極体１１０の幅方向の外側に位置する側壁２３５が，第１部材２３６のみにより構成されている。
【００４２】
そして，単電池２００のケース本体２３１は，側壁２３５のうちの電極体１１０の積層方向の外側に位置している第１側壁２３５ａおよび第２側壁２３５ｂが，第１部材２３６と第２部材２３７とにより構成されている。第２部材２３７は，第１側壁２３５ａおよび第２側壁２３５ｂにおいてともに，第１部材２３６の電極体１１０とは反対側に位置している。また，単電池２００のケース本体２３１においても，第１部材２３６と第２部材２３７とは貼り合わせられている。さらに，単電池２００のケース本体２３１においても，第２部材２３７は，第１部材２３６よりも熱膨張率の小さい材質のものである。
【００４３】
このため，単電池２００においても，過充電により温度上昇が生じたときには，第１側壁２３５ａおよび第２側壁２３５ｂにおいて，ケース本体２３１の内側では，外側よりも変形量が大きくなる。これにより，複数の単電池２００を電極体１１０の厚み方向に組み合わせてなる組電池においても，過充電に至った単電池２００の電極体１１０が，その積層方向に圧迫されることとなる。よって，単電池２００によって構成された組電池においても，上記の複数の単電池１００により構成された組電池１と同様，過充電に至った単電池２００における電極体１１０の膨張が抑制され，単電池２００の劣化が抑制される。
【００４４】
また，図９に示す単電池３００のケース本体３３１の側壁３３５は，第１部材３３６，第２部材３３７，第３部材３３８により構成されている。このうち，第１部材３３６については，単電池１００の第１部材１３６と同じものである。
【００４５】
単電池３００のケース本体３３１において，第２部材３３７は，側壁３３５のうちの電極体１１０の積層方向の外側に位置している第１側壁３３５ａおよび第２側壁３３５ｂにおける第１部材３３６の外側に設けられている。第３部材３３８は，電極体１１０の幅方向の外側に位置する側壁３３５の，第１部材３３６の内側に設けられている。ケース本体３３１において，第２部材３３７および第３部材３３８はともに，第１部材３３６と貼り合わせられている。さらに，第２部材３３７および第３部材３３８はともに，第１部材３３６よりも熱膨張率の小さい材質のものである。
【００４６】
このため，単電池３００において過充電により温度上昇が生じたときには，第３部材３３８が設けられている電極体１１０の幅方向の外側に位置する側壁３３５では，ケース本体３３１の外側が，内側よりも変形量の大きなものとなる。これにより，第３部材３３８が設けられている電極体１１０の幅方向の外側に位置する側壁３３５は，通常時よりもケース本体３３１の外側に向けて突出するように湾曲した形状となる。
【００４７】
一方，単電池３００において過充電により温度上昇が生じたとき，側壁３３５のうちの電極体１１０の積層方向の外側に位置している第１側壁３３５ａおよび第２側壁３３５ｂにおいては，ケース本体３３１の内側が，外側よりも変形量の大きなものとなる。すなわち，複数の単電池３００を電極体１１０の厚み方向に組み合わせてなる組電池においても，過充電に至った単電池３００の電極体１１０が，その積層方向に圧迫されることとなる。よって，単電池３００によって構成された組電池においても，上記の複数の単電池１００により構成された組電池１と同様，過充電に至った単電池３００における電極体１１０の膨張が抑制され，単電池３００の劣化が抑制される。
【００４８】
以上詳細に説明したように，本形態に係る組電池は，複数の単電池を組み合わせることにより構成されたものである。また，単電池は，集電箔に活物質層を形成してなる電極板をセパレータとともに積層してなる電極体，および，矩形型の電池ケースを有する二次電池である。さらに，組電池における複数の単電池は，電極体における電極板およびセパレータの積層方向に組み合わされている。加えて，電池ケースは，電極体の積層方向の外側に位置している側壁がそれぞれ，電極体の積層方向について，第１部材と，第１部材の電極体とは反対側に位置するとともに，第１部材よりも熱膨張率の小さい第２部材とにより構成されている。このため，過充電により温度上昇が生じたときには，電池ケースにより，電極体がその積層方向に圧迫されるように構成されている。これにより，過充電耐性が十分な二次電池により構成された組電池が実現されている。
【００４９】
なお，本実施の形態は単なる例示にすぎず，本発明を何ら限定するものではない。従って本発明は当然に，その要旨を逸脱しない範囲で種々の改良，変形が可能である。例えば，上記の実施形態で説明した捲回型の扁平電極体を有する二次電池に限らず，正負の電極板をこれらの間にセパレータを挟み込みつつ平積みにより積層してなる積層型の電極体を有する二次電池にも適用することができる。
【００５０】
また例えば，上記の実施形態では，組電池１における隣り合う２つの単電池１００が，それぞれの第１側壁１３５ａと第２側壁１３５ｂとを向かい合わせている場合について説明している。しかし，組電池１における隣り合う２つの単電池１００は，それぞれの第１側壁１３５ａと第２側壁１３５ｂとにより向かい合っていなくてもよい。つまり，組電池１における隣り合う２つの単電池１００は，それぞれの第１側壁１３５ａ同士または第２側壁１３５ｂ同士により向かい合っていてもよい。
【符号の説明】
【００５１】
１  組電池
１００  単電池
１１０  電極体
１３０  電池ケース
１３１  ケース本体
１３５  側壁
１３５ａ  第１側壁
１３５ｂ  第２側壁
１３６  第１部材
１３７  第２部材
Ｎ  負極板
Ｎ１  負極集電箔
Ｎ２  負極活物質層
Ｐ  正極板
Ｐ１  正極集電箔
Ｐ２  正極活物質層
Ｓ  セパレータ
【図１】
2017134953.tif 000003
【図２】
2017134953.tif 000004
【図３】
2017134953.tif 000005
【図４】
2017134953.tif 000006
【図５】
2017134953.tif 000007
【図６】
2017134953.tif 000008
【図７】
2017134953.tif 000009
【図８】
2017134953.tif 000010
【図９】
2017134953.tif 000011